(57)【要約】【課題】ペイステーション決済スタイルにおいても、ポイントの発行等の処理を現金釣銭機への貨幣の入金後に行うことができるような精算システムを提供すること。【解決手段】本発明は、レジスタと、現金精算装置と、を備えた精算システムであって、前記現金精算装置に、代用貨幣処理機が直結されていることを特徴とする精算システムである。【選択図】図１
2013175044.tif 000002
【特許請求の範囲】
【請求項１】
レジスタと、現金精算装置と、を備えた精算システムであって、
前記現金精算装置に、代用貨幣処理機が直結されている
ことを特徴とする精算システム。
【請求項２】
前記代用貨幣処理機は、前記現金精算装置に現金が入金された場合にのみ、代用貨幣を発行するようになっている
ことを特徴とする請求項１に記載の精算システム。
【請求項３】
前記代用貨幣処理機は、前記現金精算装置への入金貨幣の内訳に依存する条件に従って、代用貨幣を発行するようになっている
ことを特徴とする請求項１または２に記載の精算システム。
【請求項４】
釣銭の硬貨分について、前記代用貨幣処理機が代用貨幣を発行するようになっている
ことを特徴とする請求項１乃至３のいずれかに記載の精算システム。
【請求項５】
前記現金精算装置は、紙幣処理ユニットのみからなる
ことを特徴とする請求項４に記載の精算システム。
【請求項６】
前記代用貨幣処理機は、ポイント処理機として構成されている
ことを特徴とする請求項１乃至５のいずれかに記載の精算システム。
【発明の詳細な説明】
【技術分野】
【０００１】
本発明は、購入商品の登録及び合計金額の算出を行うレジスタと、貨幣の入金処理及び釣銭の出金処理を行う現金精算装置と、を備えた精算システムに関する。
【背景技術】
【０００２】
スーパーマーケットやコンビニエンスストア等の店舗には、顧客の購入商品の登録を行って売上金額を算出するＰＯＳ（Point Of Sale）レジスタと、紙幣及び硬貨の入金処理及び釣銭の出金処理を行う現金精算装置と、を備えた精算システムが設けられている。
【０００３】
このような精算システムを用いた精算処理の一例としては、まず、ＰＯＳレジスタが売上金額を算出し、現金精算装置に通知する。現金精算装置は、顧客からの預かり金が投入されると、識別及び計数を行う。そして、現金精算装置は、顧客からの預かり金の総額から、ＰＯＳレジスタから通知された売上金額を減じて釣銭額を算出し、釣銭を出金する。
【０００４】
ここで、精算システムのレイアウトについて、典型的には以下の２つのスタイルが知られている。一つは、現金精算装置がレジレーンに組み込まれたキャッシュディスク決済スタイル（図１１参照）であり、もう一つは、現金精算装置がレジレーンから離間したペイステーション決済スタイル（図１２参照）である。
【０００５】
キャッシュディスク決済スタイルの場合は、ＰＯＳレジスタと現金精算装置が１対１に対応しており、一人の顧客に対して順番に処理を行っていくようになっている。つまり、ＰＯＳレジスタで商品登録を行った後に、現金精算装置で決済が行われる為、基本的には一方が稼働している時は、他方が非稼働状態になる。その為、商品登録と現金精算の何れかに偏って時間がかかるような場合は、効率的でなかった。一方、ペイステーション決済スタイルの場合は、ＰＯＳレジスタと現金精算装置が１対１に対応していない為、使用状況に応じて何れか一方を休止状態にすることによって、店員の数を減らしたりして効率的な使用が可能となる。
【０００６】
キャッシュディスク決済スタイルが採用される場合には、ＰＯＳレジスタにポイントカード処理機を連結する態様が広く知られている。例えば、売上金額に応じたポイントを発行して、当該顧客のポイントカードのデータと関連付け、当該ポイントを次の商品購入時の代金として利用して貰うシステムが広く知られている。
【０００７】
更に、特許文献１には、蓄積されたポイント数に応じて割引率を変更することが記載されている。また、特許文献２及び特許文献３には、発行ポイント数を算定するための基礎データとして取引金額以外の顧客情報をも利用することが記載されている。
【先行技術文献】
【特許文献】
【０００８】
【特許文献１】特開平５−８９３７２
【特許文献２】特許第３２７２５２５号
【特許文献３】特開２００６−２１５６８７
【発明の概要】
【発明が解決しようとする課題】
【０００９】
特許文献１乃至３に記載されたシステムでは、いずれも、ＰＯＳレジスタにポイントカード処理機が連結されている。従って、ペイステーション決済スタイルが採用される場合には、ポイントカードに対する処理が、現金精算装置への貨幣の入金前に実施されることになる。
【００１０】
しかしながら、本件発明者らによる検討によれば、ポイントの発行等の処理を現金精算装置への貨幣の入金後に行う方が、ポイントの発行等の処理のための条件を多様に設定することができて好ましいことが知見された。
【００１１】
本発明は、以上のような状況に鑑みて創案されたものである。本発明の目的は、ペイステーション決済スタイルにおいても、ポイントの発行等の処理を現金精算装置への貨幣の入金後に行うことができるような精算システムを提供することにある。
【課題を解決するための手段】
【００１２】
本発明は、レジスタと、現金精算装置と、を備えた精算システムであって、前記現金精算装置に、代用貨幣処理機が直結されていることを特徴とする精算システムである。
【００１３】
代用貨幣処理機とは、例えば、代用貨幣としての「ポイント」を処理する装置であり、売上金額に応じたポイントを発行（還元）したり、釣銭に相当するポイントを発行したりする装置である。
【００１４】
代用貨幣処理機は、一般的にはポイントカード処理機として構成され得るが、ポイントを貯められる媒体はポイントカードに限定されないので、当該媒体に応じた種々の態様が採用され得る。具体的には、ＩＣカードに対応したＩＣカード処理機や、携帯電話に対応する非接触式の処理装置や、ｉＰｈｏｎｅ端末に対応する非接触式の処理装置なども採用され得る。
【００１５】
本発明によれば、代用貨幣処理機が、レジスタでなく現金精算装置の方に直結されているため、ペイステーション決済スタイルにおいても、代用貨幣（例えばポイント）の発行等の処理を現金精算装置への貨幣の入金後に行うことができる。従って、代用貨幣の発行等の処理のための条件を多様に設定することができ、顧客吸引のための戦略をより幅広い選択肢の中から採用することができる。
【００１６】
特に本発明によれば、代用貨幣処理機が、レジスタを介することなく、現金精算装置に直結されているため、代用貨幣の発行等の処理機能の設計ないし実装を、レジスタから独立に（レジスタとの連携を考慮する必要なく）、代用貨幣処理機と現金精算装置との側において実現することができる。
【００１７】
例えば、好ましくは、前記代用貨幣処理機は、前記現金精算装置に現金が入金された場合にのみ、代用貨幣（通常は「ポイント」）を発行するようにできる。この場合、現金で決済する顧客のみに代用貨幣を発行するという営業戦略が採用可能となる。
【００１８】
あるいは、好ましくは、前記代用貨幣処理機は、前記現金精算装置への入金貨幣の内訳に依存する条件に従って、代用貨幣を発行するようにできる。この場合、例えば現金精算装置において在高が不足している金種を投入してくれた顧客により多くの代用貨幣を発行する、といったことも採用可能となる。
【００１９】
あるいは、好ましくは、釣銭の硬貨分について、前記代用貨幣処理機が代用貨幣を発行するようにできる。この場合、釣銭として硬貨が出金されないので、顧客の流れがよりスムーズになる。釣銭の硬貨分を代用貨幣として発行することを許容してくれた顧客に、より多くの代用貨幣を発行する、といったことも採用可能である。また、この場合、現金精算装置を紙幣処理ユニットのみから構成する（硬貨処理ユニットの設置を省略する）という態様も採用可能となる。
【発明の効果】
【００２０】
本発明によれば、代用貨幣処理機が、レジスタでなく現金精算装置の方に直結されているため、ペイステーション決済スタイルにおいても、ポイントの発行等の処理を現金精算装置への貨幣の入金後に行うことができる。従って、ポイントの発行等の処理のための条件を多様に設定することができ、顧客吸引のための戦略をより幅広い選択肢の中から採用することができる。
【００２１】
また、本発明によれば、代用貨幣処理機が、レジスタを介することなく、現金精算装置に直結されているため、代用貨幣の発行等の処理機能の設計ないし実装を、レジスタから独立に（レジスタとの連携を考慮する必要なく）、代用貨幣処理機と現金精算装置との側において実現することができる。
【図面の簡単な説明】
【００２２】
【図１】本発明の第１の実施形態に係る精算システムを備えた現金管理システムの構成例を示すブロック図である。
【図２】図１の現金管理システムをキャッシュディスク決済スタイルで利用する場合の精算方法の一例を説明するタイミングチャートである。
【図３】図１の現金管理システムをペイステーション決済スタイルで利用する場合の精算方法の一例を説明するタイミングチャートである。
【図４】図１の現金管理システムをキャッシュディスク決済スタイルで利用する場合の精算方法の他の一例を説明するタイミングチャートである（入金条件判定機能付き）。
【図５】図１の現金管理システムをペイステーション決済スタイルで利用する場合の精算方法の他の一例を説明するタイミングチャートである（入金条件判定機能付き）。
【図６】図１の現金管理システムをキャッシュディスク決済スタイルで利用する場合の精算方法の更に他の一例を説明するタイミングチャートである（ポイント入金機能付き）。
【図７】図１の現金管理システムをペイステーション決済スタイルで利用する場合の精算方法の更に他の一例を説明するタイミングチャートである（ポイント入金機能付き）。
【図８】本発明の第２の実施形態に係る精算システムを備えた現金管理システムの構成例を示すブロック図である。
【図９】図８の現金管理システムをペイステーション決済スタイルで利用する場合の精算方法の一例を説明するタイミングチャートである。
【図１０】本発明の第３の実施形態に係る精算システムを備えた現金管理システムをペイステーション決済スタイルで利用する場合の精算方法の一例を説明するタイミングチャートである。
【図１１】キャッシュディスク決済スタイルの一例を示す外観図である。
【図１２】ペイステーション決済スタイルの一例を示す外観図である。
【発明を実施するための形態】
【００２３】
以下、図面を参照して、本発明に係る実施形態を説明する。もっとも、本実施形態は、本発明を限定するものではない。
【００２４】
図１は、本発明の第１の実施形態に係る精算システム２を備えた現金管理システム１の構成例を示すブロック図である。現金管理システム１は、店員が顧客から受け取った貨幣、および、店員が顧客へ支払う釣銭を処理および管理するシステムである。
【００２５】
現金管理システム１は、店舗内のチェックアウトエリアに設けられており、店員が顧客との間でやりとりした現金を入金及び出金するチェックアウトカウンター１０と、チェックアウトカウンター１０の現金および商品を管理するバックオフィス２０と、チェックアウトカウンター１０とバックオフィス２０との間において現金を搬送する現金搬送カセット３０と、から構成されている。
【００２６】
チェックアウトカウンター１０には、貨幣の入金処理及び釣銭出金処理を行う現金精算装置１１と、当該現金精算装置１１と通信可能に接続され、顧客が購入する商品の登録を行うレジスタ４０と、を備えた精算システム２が設けられている。精算システム２は、複数セットが設けられていても良い。
【００２７】
現金精算装置１１は、店員または顧客自らによって操作され、店員と顧客との間の精算処理に用いられる。レジスタ４０は、例えば、店員によって操作されるＰＯＳレジスタである。
【００２８】
バックオフィス２０には、現金出納装置２１と、現金管理装置２５と、ＰＯＳ管理装置２６と、が設けられている。現金出納装置２１は、現金精算装置１１と通信可能に接続されており、例えば、現金精算装置１１へ装填するための釣銭準備金を出金し、あるいは、現金精算装置１１から回収した売上金を入金する。
【００２９】
現金管理装置２５は、ＬＡＮ（Local Area Network）等を介して現金精算装置１１および現金出納装置２１と通信可能に接続されている。現金管理装置２５は、現金精算装置１１および現金出納装置２１に収納されている現金を管理する。例えば、現金管理装置２５は、現金精算装置１１のそれぞれにおいて精算処理された現金、並びに、現金精算装置１１と現金出納装置２１との間で授受された現金を管理する。また、現金管理装置２５は、現金精算装置１１または現金出納装置２１に現金搬送カセット３０が装着されているか否かを監視してもよい。
【００３０】
ＰＯＳ管理装置２６は、ＬＡＮ等を介してチェックアウトカウンター１０に設けられているレジスタ４０と通信可能に接続されており、商品の流れや店舗の売上を管理している。
【００３１】
現金搬送カセット３０は、現金精算装置１１および現金出納装置２１に着脱可能に構成されており、現金精算装置１１または現金出納装置２１に装着されているときには現金精算装置１１または現金出納装置２１との間で現金を授受することができる。一方、現金搬送カセット３０は、現金精算装置１１および現金出納装置２１から離脱しているときには内部の現金を取出せないように収納している。店員は、現金搬送カセット３０を用いて現金精算装置１１と現金出納装置２１との間における現金の搬送を行う。例えば、釣銭準備金の装填時あるいは売上金の回収時には、店員は、現金搬送カセット３０を用いて現金を現金精算装置１１と現金出納装置２１との間で搬送する。店員は、現金の搬送時に現金搬送カセット３０内の現金に触れることができないので、セキュリティ上安全な状態で現金を搬送することができる。
【００３２】
現金搬送カセット３０は、紙幣および硬貨のいずれか一方を搬送するように構成されていてもよく、両方を搬送できるように構成されていてもよい。紙幣用の現金搬送カセット３０は、紙幣を積み重ねて収納するスタック式カセットであってもよく、あるいは、紙幣を一枚ずつ複数のテープ間に挟み込んだ状態で該テープを紙幣とともに巻き取るテープリール式カセットであってもよい。硬貨用の現金搬送カセット３０は、金種混合の状態で硬貨を収納するカセットでよい。
【００３３】
本実施の形態では、レジスタ４０が、レイアウト切換を制御する切換手段としての操作部４１を有している。また、当該レジスタ４０の近傍に、制御ボックス４２と、取引特定媒体としてのレシートをプリントするプリンタ４３（取引特定媒体出力手段）と、が配置されている。そして、レジスタ４０は、キャッシュディスク決済スタイルの場合には、現金精算装置１１とデータ送受信を行うようになっている一方、ペイステーション決済スタイルの場合には、制御ボックス４２とデータ送受信を行うようになっている。また、現金精算装置１１は、キャッシュディスク決済スタイルの場合には、レジスタ４０からのデータ入力を待機するようになっている一方で、ペイステーション決済スタイルの場合には、レシートの読取を待機するようになっている（レシートスキャナ、例えばバーコードリーダ１６を有している）。
【００３４】
本実施の形態の制御ボックス４２は、さらに、ペイステーション決済スタイルの場合、プリンタ４３にレシートを印刷させた後、取引の完了通知をレジスタ４０に行って、現金管理装置２５に取引内容の登録通知を行うようになっている。
【００３５】
そして、本実施の形態の現金精算装置１１には、代用貨幣処理機としてのポイントカード処理機５１が直結されている。本実施の形態のポイントカード処理機５１は、売上金額に比例した代用貨幣としての「ポイント」を発行する（還元する）ようになっている。
【００３６】
次に、このような現金精算装置１１、ポイントカード処理機５１及びレジスタ４０を有する精算システム２を用いた精算方法について、図２及び図３を用いて説明する。
【００３７】
まず、キャッシュディスク決済スタイル（図１１参照）として配置されている場合について説明する。すなわち、レジスタ４０の操作部４１を介して、キャッシュディスク決済スタイルが選択され、各構成装置（レジスタ４０や現金精算装置１１など）もそのように配置されている場合について説明する。
【００３８】
（ステップＳ１０１）顧客が購入する商品の商品情報がレジスタ４０に登録され、購入金額が算出される。
【００３９】
（ステップＳ１０２）レジスタ４０が現金精算装置１１に対して購入金額を送信する。
【００４０】
（ステップＳ１０３）顧客の支払い貨幣が現金精算装置１１に投入される。貨幣の投入は店員が行ってもよいし、顧客自ら行ってもよい。現金精算装置１１は、投入された貨幣の識別・計数を含む入金処理を行う。
【００４１】
（ステップＳ１０４）現金精算装置１１が、投入金額を算出する。
【００４２】
（ステップＳ１０５）現金精算装置１１が、ステップＳ１０４で算出した投入金額を顧客からの預かり金の総額とし、この預かり金の総額及びステップＳ１０２でレジスタ４０から受信した購入金額に基づいて釣銭額を算出する。
【００４３】
（ステップＳ１０６）現金精算装置１１が、ステップＳ１０５で算出した釣銭額に基づいて釣銭貨幣を出金する。釣銭貨幣は店員が顧客に手渡してもよいし、投出された釣銭貨幣を顧客自ら受け取ってもよい。
【００４４】
（ステップＳ１０７）現金精算装置１１が、釣銭貨幣の出金完了すなわち現金精算完了をレジスタ４０及び現金管理装置２５に通知する。
【００４５】
（ステップＳ１０８）レジスタ４０の制御に基づいて、プリンタ４３が、顧客の購入商品の商品情報、購入金額、顧客の支払い額、釣銭額等を含む取引内容を印字したレシートを出力する。顧客が自らレシートを取るか、あるいは、店員が出力されたレシートを顧客に手渡す。
【００４６】
（ステップＳ１５１）一方、ポイントカード処理機５１には、顧客が持参したポイントカードが挿入される。
【００４７】
（ステップＳ１５２）そして、本実施の形態では、現金精算装置１１からの釣銭貨幣の出金完了すなわち現金精算完了の通知が、ポイントカード処理機５１に対してもなされる。
【００４８】
（ステップＳ１５３）ポイントカード処理機５１は、ステップＳ１５２で通知された出金完了の通知に基づいて、ポイントカードに対して購入金額に対応したポイントを発行し、蓄積されたポイント情報を更新する。ここで、購入金額に対応したポイントは、現金精算装置１１において算出されてステップＳ１５２の出金完了通知と共にポイントカード処理機５１に通知されてもよいし、購入金額がステップＳ１５２の出金完了通知と共にポイントカード処理機５１に通知されて、ポイントカード処理機５１の側で算出されてもよい。
【００４９】
（ステップＳ１５４）ポイントの更新がなされた後、ポイントカードが排出されて顧客に戻される。
【００５０】
次に、ペイステーション決済スタイル（図１２参照）に変更する手順について説明する。本実施の形態によれば、極めて簡単な作業によって、ペイステーション決済スタイルへの変更が実現される。具体的には、レジスタ４０の操作部４１を介して、ペイステーション決済スタイルへ切り換えられ、各構成装置（レジスタ４０や現金精算装置１１など）の配置もそのように変更される。それだけで、すなわち、各構成装置間の配線の接続状況を変えたり、制御プログラムを変更するといった面倒な作業を伴うことなく、ペイステーション決済スタイルへの変更が実現される。また、同様に、各構成装置間の配線の接続状況を変えたり、制御プログラムを変更するといった面倒な作業を伴うことなく、キャッシュディスク決済スタイルに戻すことも可能である。
【００５１】
ペイステーション決済スタイルの場合の精算方法について、図３を用いて説明する。
【００５２】
（ステップＳ２０１）顧客が購入する商品の商品情報がレジスタ４０に登録され、購入金額が算出される。
【００５３】
（ステップＳ２０２）レジスタ４０が、現金精算装置１１ではなくて制御ボックス４２に対して、購入金額を送信する（この送信先の変更が、レジスタ４０の操作部４１による切換操作に因るものである）。
【００５４】
（ステップＳ２０３）制御ボックス４２は、プリンタ４３に、顧客の購入商品の商品情報、購入金額等を含む取引内容を印字したレシートを印刷させる。本実施の形態では、購入金額については、バーコード情報としても印刷させる。
【００５５】
（ステップＳ２０４）さらに制御ボックス４２は、取引の完了通知をレジスタ４０に行うと共に、現金管理装置２５に取引内容の登録通知を行う。
【００５６】
（ステップＳ２０５）顧客は、自らレシートを取るか、あるいは、店員から印刷されたレシートを手渡されると、レジスタ４０からは離れて配置された現金精算装置１１に移動する。
【００５７】
（ステップＳ２０６）顧客は、現金精算装置１１（のレシートスキャナ）に対して、レシートのバーコード情報を読み込ませる。
【００５８】
（ステップＳ２０７）顧客の支払い貨幣が現金精算装置１１に投入される。貨幣の投入は通常顧客自らが行う。現金精算装置１１は、投入された貨幣の識別・計数を含む入金処理を行う。
【００５９】
（ステップＳ２０８）現金精算装置１１が、投入金額を算出する。
【００６０】
（ステップＳ２０９）現金精算装置１１が、ステップＳ２０８で算出した投入金額を顧客からの預かり金の総額とし、この預かり金の総額及びバーコード情報から得た購入金額に基づいて釣銭額を算出する。
【００６１】
（ステップＳ２１０）現金精算装置１１が、ステップＳ２０９で算出した釣銭額に基づいて釣銭貨幣を出金する。投出された釣銭貨幣は通常顧客自らが受け取る。
【００６２】
（ステップＳ２１１）現金精算装置１１が、釣銭貨幣の出金完了すなわち現金精算完了をレジスタ４０及び現金管理装置２５に通知する。
【００６３】
（ステップＳ２５１）一方、ポイントカード処理機５１には、顧客が持参したポイントカードが挿入される。
【００６４】
（ステップＳ２５２）そして、本実施の形態では、現金精算装置１１からの釣銭貨幣の出金完了すなわち現金精算完了の通知が、ポイントカード処理機５１に対してもなされる。
【００６５】
（ステップＳ２５３）ポイントカード処理機５１は、ステップＳ２５２で通知された出金完了の通知に基づいて、ポイントカードに対して購入金額に対応したポイントを発行し、蓄積されたポイント情報を更新する。ここで、購入金額に対応したポイントは、現金精算装置１１において算出されてステップＳ２５２の出金完了通知と共にポイントカード処理機５１に通知されてもよいし、購入金額がステップＳ２５２の出金完了通知と共にポイントカード処理機５１に通知されて、ポイントカード処理機５１の側で算出されてもよい。
【００６６】
（ステップＳ２５４）ポイントの更新がなされた後、ポイントカードが排出されて顧客に戻される。
【００６７】
以上の通り、本実施の形態によれば、精算システム２０が、予めレジスタ４０の操作部４１によってキャッシュディスク決済スタイルとペイステーション決済スタイルとを切換可能に構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【００６８】
そして、本実施の形態によれば、ポイントカード処理機５１が、レジスタ４０でなく現金精算装置１１の方に直結されているため、ペイステーション決済スタイルにおいても、ポイントの発行等の処理を現金精算装置１１への貨幣の入金後に行うことができる。従って、ポイントの発行等の処理のための条件を多様に設定することができ、顧客吸引のための戦略を幅広い選択肢の中から採用することができる。
【００６９】
特に、本実施の形態によれば、ポイントカード処理機５１が、レジスタ４０を介することなく、現金精算装置１１に直結されているため、ポイント発行等の処理機能の設計ないし実装を、レジスタ４０から独立に（レジスタ４０との連携を考慮する必要なく）、ポイントカード処理機５１と現金精算装置１１との側において実現することができる。
【００７０】
例えば、現金精算装置１１に現金が入金された場合にのみ、ポイントカード処理機５１がポイントを発行する、という設定を選択できる。この場合、現金で決済する顧客のみにポイントを発行するという営業戦略が採用可能となる。この場合、例えば図４及び図５に示すように、現金精算装置１１から入金情報（現金での入金がなされたか否かの情報）がポイントカード処理機５１に送られ（ステップＳ１６１、ステップＳ２６１）、ポイントカード処理機５１においてポイント発行（ポイント更新）すべきか否かの判別がなされる（ステップＳ１６２、ステップＳ２６２）。あるいは、現金精算装置１１の側で入金条件判定を行って、その結果をステップＳ１５２ないしステップＳ２５２の通知に反映させるという態様が採用されてもよい。
【００７１】
あるいは、入金条件判定として、現金での入金がなされたか否かという判定の他、現金精算装置１１に用意されている釣銭用貨幣の金種毎の在高に応じて、不足気味の金種を入金してくれたか否か、という条件判定を採用することもできる。すなわち、例えば１０円硬貨が不足している場合において、１００円硬貨１枚の代わりに１０円硬貨１０枚を入金してくれた顧客に対して、より高率のポイント発行を行うという態様も採用できる。
【００７２】
この場合、不足気味の金種に関する情報が、例えば現金精算装置１１の操作表示部１２（あるいは現金精算装置１１に接続されたカスタマディスプレイ）等を介して、入金操作前に顧客に対して提示されることが好ましい。更には、不足気味の金種を入金することによってポイント発行率が有利になる旨も、入金操作前に顧客に対して提示されることが好ましい。
【００７３】
また、出金（ステップＳ１０６、Ｓ２１０）について、貨幣による出金の他に、ポイントでの出金が選択できるようになっていることが好ましい。当該選択は、例えば現金精算装置１１の操作表示部１２等を介して実現可能であり、その結果をステップＳ１５２ないしステップＳ２５２の通知に反映させることが可能である。貨幣でなくポイントでの出金を選択した場合には、顧客の流れがよりスムーズになることが期待されるため、（例えば時間帯によって）より高率のポイント発行を行う、という運用も採用できる。
【００７４】
また、出金（ステップＳ１０６、Ｓ２１０）の全額でなく、紙幣での出金ができない硬貨分の釣銭についてのみポイントでの出金を選択可能とする態様も好ましい。当該選択も、例えば現金精算装置１１の操作表示部１２等を介して実現可能であり、その結果をステップＳ１５２ないしステップＳ２５２の通知に反映させることが可能である。硬貨分のみについてポイントでの出金を選択した場合にも、顧客の流れがよりスムーズになることが期待されるため、（例えば時間帯によって）より高率のポイント発行を行う、という運用を採用できる。
【００７５】
紙幣での出金ができない硬貨分の釣銭について、常にポイントで出金するという態様を採用すれば、現金精算装置１１において硬貨処理部１４を省略することも可能である。この場合には、図６及び図７に示すように、紙幣による入金に加えて、ポイントカードに蓄積されているポイントに基づく入金処理が選択可能になっていることが好ましい（ステップＳ１７１、Ｓ２７１；ステップＳ１０３、Ｓ２０７）。
【００７６】
次に、図８は、本発明の第２の実施形態に係る精算システム２を備えた現金管理システム１の構成例を示すブロック図である。
【００７７】
図８に示すように、本実施の形態においては、現金精算装置１１の方に、レイアウト切換を制御する切換手段としての操作表示部１２が設けられている。レジスタ４０の近傍には、第1の実施形態と同様に、取引特定媒体としてのレシートをプリントするプリンタ４３（取引特定媒体出力手段）が配置されているが、制御ボックスは設けられていない。また、本実施の形態のレジスタ４０は、キャッシュディスク決済スタイルの場合にもペイステーション決済スタイルの場合にも、現金精算装置１１とデータ送受信を行うようになっている。そして、現金精算装置１１が、キャッシュディスク決済スタイルの場合には、レジスタ４０からのデータ入力を待機するようになっている一方で、ペイステーション決済スタイルの場合には、プリンタ４３にレシートを印刷させてから、レシートの読取を待機するようになっている。
【００７８】
本実施の形態におけるその他の構成については、前記第１の実施の形態と同様である。図８において、前記第１の実施の形態と同様の部分には、前記第１の実施の形態と同様の符号を付してある。また、それら同様の部分の説明は省略する。
【００７９】
次に、このような現金精算装置１１及びレジスタ４０を有する精算システム２を用いた精算方法について、図２及び図９を用いて説明する。
【００８０】
キャッシュディスク決済スタイル（図１１参照）として配置されている場合については、図２を用いて説明した第１の実施の形態の場合と同様である。
【００８１】
次に、ペイステーション決済スタイル（図１２参照）に変更する手順について説明する。本実施の形態によれば、極めて簡単な作業によって、ペイステーション決済スタイルへの変更が実現される。具体的には、現金精算装置１１の操作表示部１２を介して、ペイステーション決済スタイルへ切り換えられ、各構成装置（レジスタ４０や現金精算装置１１など）の配置もそのように変更される。それだけで、すなわち、各構成装置間の配線の接続状況を変えたり、制御プログラムを変更するといった面倒な作業を伴うことなく、ペイステーション決済スタイルへの変更が実現される。また、同様に、各構成装置間の配線の接続状況を変えたり、制御プログラムを変更するといった面倒な作業を伴うことなく、キャッシュディスク決済スタイルに戻すことも可能である。
【００８２】
ペイステーション決済スタイルの場合の精算方法について、図９を用いて説明する。
【００８３】
（ステップＳ３０１）顧客が購入する商品の商品情報がレジスタ４０に登録され、購入金額が算出される。
【００８４】
（ステップＳ３０２）レジスタ４０が現金精算装置１１に対して購入金額を送信する。
【００８５】
（ステップＳ３０３）現金精算装置１１が、プリンタ４３にレシート印刷指令を送信する。
【００８６】
（ステップＳ３０４）プリンタ４３が、レシートを印刷する。
【００８７】
（ステップＳ３０５）顧客は、自らレシートを取るか、あるいは、店員から印刷されたレシートを手渡されると、レジスタ４０からは離れて配置された現金精算装置１１に移動する。
【００８８】
（ステップＳ３０６）顧客は、現金精算装置１１に対して、レシートのバーコード情報を読み込ませる。
【００８９】
（ステップＳ３０７）顧客の支払い貨幣が現金精算装置１１に投入される。貨幣の投入は通常顧客自らが行う。現金精算装置１１は、投入された貨幣の識別・計数を含む入金処理を行う。
【００９０】
（ステップＳ３０８）現金精算装置１１が、投入金額を算出する。
【００９１】
（ステップＳ３０９）現金精算装置１１が、ステップＳ３０８で算出した投入金額を顧客からの預かり金の総額とし、この預かり金の総額及びバーコード情報から得た購入金額に基づいて釣銭額を算出する。
【００９２】
（ステップＳ３１０）現金精算装置１１が、ステップＳ３０９で算出した釣銭額に基づいて釣銭貨幣を出金する。投出された釣銭貨幣は通常顧客自らが受け取る。
【００９３】
（ステップＳ３１１）現金精算装置１１が、釣銭貨幣の出金完了すなわち現金精算完了をレジスタ４０及び現金管理装置２５に通知する。
【００９４】
（ステップＳ３５１）一方、ポイントカード処理機５１には、顧客が持参したポイントカードが挿入される。
【００９５】
（ステップＳ３５２）そして、本実施の形態では、現金精算装置１１からの釣銭貨幣の出金完了すなわち現金精算完了の通知が、ポイントカード処理機５１に対してもなされる。
【００９６】
（ステップＳ３５３）ポイントカード処理機５１は、ステップＳ３５２で通知された出金完了の通知に基づいて、ポイントカードに対して購入金額に対応したポイントを発行し、蓄積されたポイント情報を更新する。ここで、購入金額に対応したポイントは、現金精算装置１１において算出されてステップＳ３５２の出金完了通知と共にポイントカード処理機５１に通知されてもよいし、購入金額がステップＳ３５２の出金完了通知と共にポイントカード処理機５１に通知されて、ポイントカード処理機５１の側で算出されてもよい。
【００９７】
（ステップＳ３５４）ポイントの更新がなされた後、ポイントカードが排出されて顧客に戻される。
【００９８】
以上の通り、本実施の形態によれば、精算システム２が、予め現金精算装置１１の操作表示部１２によってキャッシュディスク決済スタイルとペイステーション決済スタイルとを切換可能に構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【００９９】
そして、本実施の形態においても、ポイントカード処理機５１が、レジスタ４０でなく現金精算装置１１の方に直結されているため、ペイステーション決済スタイルにおいても、ポイントの発行等の処理を現金精算装置１１への貨幣の入金後に行うことができる。従って、ポイントの発行等の処理のための条件を多様に設定することができ、顧客吸引のための戦略を幅広い選択肢の中から採用することができる。
【０１００】
特に、本実施の形態においても、ポイントカード処理機５１が、レジスタ４０を介することなく、現金精算装置１１に直結されているため、ポイント発行等の処理機能の設計ないし実装を、レジスタ４０から独立に（レジスタ４０との連携を考慮する必要なく）、ポイントカード処理機５１と現金精算装置１１との側において実現することができる。
【０１０１】
次に、本発明の第３の実施形態に係る精算システム２を備えた現金管理システム１について説明する。
【０１０２】
第１の実施形態と同様に、本実施の形態においては、図１に示すように、レジスタ４０の近傍に、制御ボックス４２と、取引特定媒体としてのレシートをプリントするプリンタ４３（取引特定媒体出力手段）と、が配置されており、レジスタ４０が、レイアウト切換を制御する切換手段としての操作部４１を有している。本実施の形態では、レイアウト切換に対応する操作として、レジスタ４０に対しての制御ボックス４２の装置特定情報（例えば、いわゆるＩＰアドレス）を、レジスタ４０に対しての現金精算装置１１の装置特定情報に書き換える操作が用意されている（例えばプログラムされている）。
【０１０３】
本実施の形態のレジスタ４０は、キャッシュディスク決済スタイルの場合には、現金精算装置１１とデータ送受信を行うようになっている一方、ペイステーション決済スタイルの場合には、装置特定情報の書き換え操作に因って、制御ボックス４２とデータ送受信を行うようになっている。
【０１０４】
本実施の形態におけるその他の構成については、前記第１の実施の形態と同様である。
【０１０５】
次に、このような現金精算装置１１及びレジスタ４０を有する精算システム２を用いた精算方法について、図２及び図１０を用いて説明する。
【０１０６】
キャッシュディスク決済スタイル（図１１参照）として配置されている場合については、図２を用いて説明した第１の実施の形態の場合と同様である。
【０１０７】
次に、ペイステーション決済スタイル（図１２参照）に変更する手順について説明する。本実施の形態によれば、極めて簡単な作業によって、ペイステーション決済スタイルへの変更が実現される。具体的には、レジスタ４０の操作部４１を介して、レジスタ４０に対しての制御ボックス４２の装置特定情報が、レジスタ４０に対しての現金精算装置１１の装置特定情報に書き換えられ、各構成装置（レジスタ４０や現金精算装置１１など）の配置がペイステーション決済スタイルに変更される。それだけで、すなわち、各構成装置間の配線の接続状況を変えたり、制御プログラムを変更するといった面倒な作業を伴うことなく、ペイステーション決済スタイルへの変更が実現される。また、同様に、各構成装置間の配線の接続状況を変えたり、制御プログラムを変更するといった面倒な作業を伴うことなく、キャッシュディスク決済スタイルに戻すことも可能である。
【０１０８】
ペイステーション決済スタイルの場合の精算方法について、図１０を用いて説明する。
【０１０９】
（ステップＳ４０１）顧客が購入する商品の商品情報がレジスタ４０に登録され、購入金額が算出される。
【０１１０】
（ステップＳ４０２）レジスタ４０が現金精算装置１１に対して購入金額を送信しようとすると、前記のように装置特定情報を書き換えられていることにより、制御ボックス４２に対して購入金額が送信される。
【０１１１】
（ステップＳ４０３）制御ボックス４２は、プリンタ４３に、顧客の購入商品の商品情報、購入金額等を含む取引内容を印字したレシートを印刷させる。本実施の形態では、購入金額については、バーコード情報としても印刷させる。
【０１１２】
（ステップＳ４０４）さらに制御ボックス４２は、取引の完了通知をレジスタ４０に行うと共に、現金管理装置２５に取引内容の登録通知を行う。
【０１１３】
（ステップＳ４０５）顧客は、自らレシートを取るか、あるいは、店員から印刷されたレシートを手渡されると、レジスタ４０からは離れて配置された現金精算装置１１に移動する。
【０１１４】
（ステップＳ４０６）顧客は、現金精算装置１１に対して、レシートのバーコード情報を読み込ませる。
【０１１５】
（ステップＳ４０７）顧客の支払い貨幣が現金精算装置１１に投入される。貨幣の投入は通常顧客自らが行う。現金精算装置１１は、投入された貨幣の識別・計数を含む入金処理を行う。
【０１１６】
（ステップＳ４０８）現金精算装置１１が、投入金額を算出する。
【０１１７】
（ステップＳ４０９）現金精算装置１１が、ステップＳ４０８で算出した投入金額を顧客からの預かり金の総額とし、この預かり金の総額及びバーコード情報から得た購入金額に基づいて釣銭額を算出する。
【０１１８】
（ステップＳ４１０）現金精算装置１１が、ステップＳ４０９で算出した釣銭額に基づいて釣銭貨幣を出金する。投出された釣銭貨幣は通常顧客自らが受け取る。
【０１１９】
（ステップＳ４１１）現金精算装置１１が、釣銭貨幣の出金完了すなわち現金精算完了をレジスタ４０及び現金管理装置２５に通知する。
【０１２０】
（ステップＳ４５１）一方、ポイントカード処理機５１には、顧客が持参したポイントカードが挿入される。
【０１２１】
（ステップＳ４５２）そして、本実施の形態では、現金精算装置１１からの釣銭貨幣の出金完了すなわち現金精算完了の通知が、ポイントカード処理機５１に対してもなされる。
【０１２２】
（ステップＳ４５３）ポイントカード処理機５１は、ステップＳ４５２で通知された出金完了の通知に基づいて、ポイントカードに対して購入金額に対応したポイントを発行し、蓄積されたポイント情報を更新する。ここで、購入金額に対応したポイントは、現金精算装置１１において算出されてステップＳ４５２の出金完了通知と共にポイントカード処理機５１に通知されてもよいし、購入金額がステップＳ４５２の出金完了通知と共にポイントカード処理機５１に通知されて、ポイントカード処理機５１の側で算出されてもよい。
【０１２３】
（ステップＳ４５４）ポイントの更新がなされた後、ポイントカードが排出されて顧客に戻される。
【０１２４】
以上の通り、本実施の形態によれば、精算システム２が、予め制御ボックス４２の装置特定情報を現金精算装置１１の装置特定情報に書換可能に構成されていることにより、任意のタイミングで、例えば、繁忙時と閑散時や、配置できる店員の数に応じたり、店舗規模の改変時に、キャッシュディスク決済スタイルとペイステーション決済スタイルとを極めて容易に切り換えることができる。更に、曜日毎の集客状況に合わせて、曜日毎にキャッシュディスク決済スタイルとペイステーション決済スタイルとを切り換えることもできるし、さらに頻繁に時間帯毎にキャッシュディスク決済スタイルとペイステーション決済スタイルとを切り換えることも可能である。
【０１２５】
なお、装置特定情報の書き換えについては、レジスタ４０に設定されている送信先情報（例えば送信先ＩＰアドレス）を書き換えるという態様の他、現金精算装置１１自体及び制御ボックス４２自体に設定されている装置特定情報を書き換えるという態様も、採用可能である。
【０１２６】
そして、本実施の形態においても、ポイントカード処理機５１が、レジスタ４０でなく現金精算装置１１の方に直結されているため、ペイステーション決済スタイルにおいても、ポイントの発行等の処理を現金精算装置１１への貨幣の入金後に行うことができる。従って、ポイントの発行等の処理のための条件を多様に設定することができ、顧客吸引のための戦略を幅広い選択肢の中から採用することができる。
【０１２７】
特に、本実施の形態においても、ポイントカード処理機５１が、レジスタ４０を介することなく、現金精算装置１１に直結されているため、ポイント発行等の処理機能の設計ないし実装を、レジスタ４０から独立に（レジスタ４０との連携を考慮する必要なく）、ポイントカード処理機５１と現金精算装置１１との側において実現することができる。
【０１２８】
なお、本発明は前記実施形態そのままに限定されるものではなく、実施段階ではその要旨を逸脱しない範囲で構成要素を変形して具体化できる。例えば、第１から第３の各実施形態におけるペイステーション決済スタイルの場合の精算方法において、顧客の購入商品の購入金額をバーコード情報として印刷し、現金精算装置１１で読み取ることにより精算処理を行うようにしたが、購入商品の購入金額を所定のＩＤ情報と紐付けて現金管理装置２５等に記憶させておき、現金精算装置１１でＩＤ情報が入力されることにより、そのＩＤ情報に紐付けられて記憶されている購入金額情報を読み出してきて精算処理を行うようにしてもよい。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２９】
１  現金管理システム
２  精算システム
１０  チェックアウトカウンター
１１  現金精算装置
１２  操作表示部
２０  バックオフィス
２１  現金出納装置
２５  現金管理装置
２６  ＰＯＳ管理装置
３０  現金搬送カセット
４０  レジスタ
４１  操作部
４３  プリンタ（取引特定媒体出力手段）
５１  ポイントカード処理機
【図１】
2013175044.tif 000003
【図２】
2013175044.tif 000004
【図３】
2013175044.tif 000005
【図４】
2013175044.tif 000006
【図５】
2013175044.tif 000007
【図６】
2013175044.tif 000008
【図７】
2013175044.tif 000009
【図８】
2013175044.tif 000010
【図９】
2013175044.tif 000011
【図１０】
2013175044.tif 000012
【図１１】
2013175044.tif 000013
【図１２】
2013175044.tif 000014